(57)【要約】【課題】発光素子からの放射熱および自己発熱による波長変換部材の効率低下を抑制でき、かつ発光装置の表面温度の過度な上昇を抑制できる発光装置、およびこれを備えた照明器具および液晶表示装置用バックライトを提供する。【解決手段】発光装置１は、発光素子２、基板４、波長変換部材５、および熱伝導性部材８を有する。発光素子２は基板４上に実装されている。波長変換部材５は発光素子２から発せられた光の波長を変換する。熱伝導性部材８は、基板４と離間しているとともに波長変換部材５の周りに当接して、波長変換部材５内の熱の少なくとも一部を散逸させる。【選択図】図１
2009277843.tif 000002
【特許請求の範囲】
【請求項１】
発光素子と、
前記発光素子が実装された基板と、
前記発光素子から発せられた光の波長を変換する波長変換部材と、
前記基板と離間しているとともに前記波長変換部材の周りに当接して、該波長変換部材内の熱の少なくとも一部を散逸させる熱伝導性部材と、
を有する、
発光装置。
【請求項２】
前記基板上に前記発光素子を取り囲んで設けられ、該発光素子から発せられた光を前記波長変換部材に向けて反射させる光反射部材と、
前記光反射部材と前記波長変換部材との間に、該光反射部材と該波長変換部材の双方に接して設けられた断熱部材と、
を有する、
請求項１に記載の発光装置。
【請求項３】
前記波長変換部材に接して前記発光素子の周囲に設けられ、該発光素子から発せられた光を該波長変換部材に向けて反射させる光反射部材と、
前記光反射部材と前記基板との間に、該光反射部材と該基板の双方に接して設けられた断熱部材と、
を有する、
請求項１に記載の発光装置。
【請求項４】
前記基板と前記波長変換部材との間に、該基板と該波長変換部材の双方に接して、前記発光素子を取り囲んで設けられた断熱部材を有する、請求項１に記載の発光装置。
【請求項５】
前記発光素子で生じた熱の少なくとも一部を放熱する放熱部材を有し、
前記放熱部材は、前記基板上の、前記発光素子が設けられた面の反対の面に設けられている、
請求項１から４のいずれか１項に記載の発光装置。
【請求項６】
請求項１から５のいずれか１項に記載の発光装置を備えた照明器具。
【請求項７】
請求項１から５のいずれか１項に記載の発光装置を備えた液晶表示装置用バックライト。
【発明の詳細な説明】
【技術分野】
【０００１】
本発明は、発光装置、およびこれを備えた照明器具および液晶表示装置用バックライトに関する。
【背景技術】
【０００２】
従来から、照明器具や液晶表示装置用バックライトの発光装置として、発光ダイオード（ＬＥＤ：Light-Emitting Diode）から発せられた光を波長変換部材である蛍光体により波長を変換することで白色光を得るものが提案されている。
【０００３】
このような発光装置に関し、例えば図５に示す発光装置が提案されている（特許文献１）。この発光装置１は、ＬＥＤチップ１０と、実装基板２０と、色変換部材７０と、断熱層９０とを備えている。ＬＥＤチップ１０は発光装置１の外形の一部を成す実装基板２０上に実装されており、青色光を放射する。放射された光は、蛍光体（黄色蛍光体）とシリコーンとで構成された、発光装置１の外形の一部を成すドーム状の色変換部材７０に入射する。蛍光体は、入射した青色光によりエネルギーが励起されて青色の補色である黄色を発光する。この蛍光体と青色ＬＥＤとの組み合わせにより白色光が実現されている。更に、断熱層９０は実装基板２０と色変換部材７０との間に介在して設けられている。これにより、ＬＥＤチップ１０で発生する熱が実装基板２０を介して色変換部材７０へと各固体間で伝導されることが防止可能となっている。
【特許文献１】特開２００７−２４３０５４号公報
【発明の開示】
【発明が解決しようとする課題】
【０００４】
しかしながら、特許文献１で開示された発光装置では、各構成要素（固体）間での熱伝導については断熱対策が講じられているものの、ＬＥＤチップから放射されて色変換部材内に蓄積される熱について何らかの散逸対策は講じられていない。すなわち、ＬＥＤチップで発生した熱は電磁波の形態で放射され、この熱はＬＥＤチップを覆う、蛍光体を含む色変換部材に伝達される。ここで、熱源の温度と電磁波スペクトルのピーク波長とは反比例の関係にある。そのため、熱源であるＬＥＤチップ内の温度が上昇すると、伝播する電磁波のスペクトル分布のピーク波長が短くなることで電磁波のエネルギーは増大することになる。増大したエネルギーの電磁波が色変換部材に入射すると、色変換部材内の温度は、ＬＥＤチップ内の温度が上昇する前に比べて上昇することになる。しかし、色変換部材は実装基板上にＬＥＤチップを覆うようにドーム状に形成されているため、色変換部材内で発生した熱は、これと実装基板との間に在る断熱層により色変換部材外へ散逸しにくい。そのため、色変換部材で発生した熱はその内部に滞留してしまうことで過度な発熱に繋がる。これによって、色変換部材に含まれる波長変換部材としての蛍光体の効率が低下することで、ＬＥＤチップからの青色と蛍光体からの黄色とで本来生成されるべき白色からは逸脱した色に変色してしまうという問題があった。更に、蛍光体は自己発熱することでその効率が低下するという問題もあった。また、色変換部材はその内部に熱が滞留してしまう構成であることで、色変換部材自体が熱源となりＬＥＤチップが搭載されるサブマウント部材や実装基板に熱が放射される。放射された熱によりサブマウント部材や実装基板内の温度が上昇することでそれらの上に搭載されるＬＥＤチップの温度も上昇してしまう。ＬＥＤチップの温度上昇によってＬＥＤチップから熱が放射されることで、この放射熱の一部が再度、色変換部材に伝達されることになる。このようにして、発光装置内で熱の負のフィードバック効果が促されてしまう。そのため、発光装置の外形を成す色変換部材や実装基板の表面温度の過度な上昇を引き起こすという問題もあった。
【０００５】
本発明は、上記事情を鑑みてなされたものであり、発光素子からの放射熱および波長変換部材の自己発熱による波長変換部材の効率低下を抑制でき、かつ発光装置の表面温度の過度な上昇を抑制できる発光装置、およびこれを備えた照明器具および液晶表示装置用バックライトを提供することを目的とする。
【課題を解決するための手段】
【０００６】
本発明の一態様の発光装置は、発光素子が実装された基板と、発光素子から発せられた光の波長を変換する波長変換部材と、基板と離間しているとともに波長変換部材の周りに当接して波長変換部材内の熱の少なくとも一部を散逸させる熱伝導性部材と、を有する。
【０００７】
更に、本発明の一態様の照明器具は、上述の発光装置を備えている。
【０００８】
また、本発明の一態様の液晶表示装置用バックライトは、上述の発光装置を備えている。
【発明の効果】
【０００９】
本発明によれば、熱伝導性部材は基板と離間しているとともに波長変換部材の周りに当接している。これにより、波長変換部材内で生じる熱の少なくとも一部は、波長変換部材と当接する熱伝導性部材に伝導される。更に、熱伝導性部材は基板と離間しているため、波長変換部材から熱伝導性部材に伝導された熱は基板には伝導されない。ゆえに、熱伝導性部材に伝わった熱の一部は発光装置外へ散逸されることになる。よって、波長変換部材内に熱が滞留してしまうことが改善される。そのため、発光素子から放射される熱による波長変換部材の効率低下および波長変換部材の自己発熱による波長変換部材の効率低下を抑制できる。更に、波長変換部材、熱伝導性部材および基板のこの構成により波長変換部材内に熱が滞留してしまうことが改善されることで、波長変換部材自体が熱源になることを抑制できる。ゆえに、発光装置内での熱の負のフィードバック効果を軽減することができる。そのため、発光装置の表面温度の過度な上昇を抑制できる。従って、発光素子からの放射熱および波長変換部材の自己発熱による波長変換部材の効率低下を抑制でき、かつ発光装置の表面温度の過度な上昇を抑制できる発光装置、およびこれを備えた照明器具および液晶表示装置用バックライトを提供することができる。
【発明を実施するための最良の形態】
【００１０】
以下、本発明を実施するための最良の形態について図面を参照して説明する。本発明の実施形態に係る発光装置は、照明器具や液晶表示装置用バックライトの光源として利用されるものである。
（第１の実施形態）
図１に本発明の第１の実施形態に係る発光装置の上面図および断面図を示す。発光装置１は、発光素子２、サブマウント部材３、基板４、波長変換部材５、光反射部材６、断熱部材７、および熱伝導性部材８を備えている。
【００１１】
発光素子２は、サブマウント部材３を介して基板４上に実装されている。また、発光素子２は青色発光ダイオードを用いることが好適である。サブマウント部材３は、発光素子２内部で生じる熱応力を緩和する手段として機能する。基板４は金属材料でできていることが好ましいが、これに限らず導電性を発揮する樹脂材料でできていてもよい。
【００１２】
波長変換部材５は、発光素子２から発せられた光の波長を変換する機能を有する。波長変換部材５は蛍光体であることが好適であるが、これに限定されるものではなく、発光素子２から発せられた光の波長を変換する機能を有する構成であればよい。また、波長変換部材５には透光性材料としてのシリコーンが混合されている。なお、図１において波長変換部材５は正方形状に示されているが、この形状に限定されるものではない。すなわち、波長変換部材５が発光素子２から発せられた光の波長を変換して透過させる機能を有する構成であれば、任意の形状に変更できる。
【００１３】
光反射部材６は、基板４上に発光素子２を取り囲んで設けられ、発光素子２から発せられた光を波長変換部材５に向けて反射させる。この反射光が波長変換部材５へ入射し、更に波長変換部材５によって波長が変換されることで黄色光が得られる。更に、この黄色光と、発光素子２から発せられて波長変換部材５を透過する青色光とで所望の白色光が実現される。
【００１４】
断熱部材７は、光反射部材６と波長変換部材５との間に光反射部材６と波長変換部材５の双方に接して設けられている。これにより、発光素子２からの放射熱の一部は光反射部材６に伝達されるが、光反射部材６に接して設けられた断熱部材７に遮られることで波長変換部材５に伝導されにくくなる。そのため、高温になった発光素子２から放射された熱が光反射部材６を介して波長変換部材５へ伝達される量を低減できる。一方、発光素子２からサブマウント部材３および基板４を介して光反射部材６に各固体間で伝導される熱に関しても、光反射部材６に接して設けられた断熱部材７によって遮られる。ゆえに、断熱部材７からこれと接する波長変換部材５に熱が伝導されにくくなる。そのため、発光素子２で生じる熱が各固体間で伝導されて波長変換部材５へ伝達される量を低減できる。従って、波長変換部材５への熱伝達量の低減により、発光装置１全体の高温化を従来に比べて抑制することが可能となる。なお、図１に示す断熱部材７は中央部を含む領域が開口した円環状の単一の部材であるが、この形態に限定されるものではない。すなわち、断熱部材７は、波長変換部材５と当接する任意の平面形状の複数の領域で構成されていてもよい。
【００１５】
熱伝導性部材８は、基板４と離間しているとともに波長変換部材５の周りに当接して、波長変換部材５内の熱の少なくとも一部を散逸させる。図１に示す熱伝導性部材８の形状は矩形状であるが、この形状に限定されず、熱伝導性部材８が熱伝導性を発揮する構成であれば任意の平面形状に変更できる。これにより、波長変換部材５内で生じる熱の少なくとも一部は、波長変換部材５と当接する熱伝導性部材８に伝導される。更に、熱伝導性部材８は基板４と離間しているため、波長変換部材５から熱伝導性部材８に伝導された熱は基板４には伝導されない。ゆえに、熱伝導性部材８に伝わった熱の一部は発光装置１外へ散逸されることになる。よって、波長変換部材５内に熱が滞留してしまうことが改善される。そのため、発光素子２から放射される熱による波長変換部材５の効率低下および波長変換部材５の自己発熱による効率低下を抑制できる。また、従来の発光装置（図５参照）においては、波長変換部材を含む色変換部材７０はその内部に熱が滞留してしまう構成であることで、色変換部材７０自体が熱源となりＬＥＤチップ１０が搭載されるサブマウント部材３０や実装基板２０に熱が放射される。放射された熱によりサブマウント部材３０や実装基板２０内の温度が上昇することでそれらの上に搭載されるＬＥＤチップ１０の温度も上昇してしまう。ＬＥＤチップ１０の温度上昇によってＬＥＤチップ１０から熱が放射されることで、この放射熱の一部が再度、色変換部材７０に伝達されることになる。このようにして、発光装置１内で熱の負のフィードバック効果が促されてしまう。そのため、発光装置１の外形を成す色変換部材７０や実装基板２０の表面温度の過度な上昇を引き起こすという問題があった。しかしながら、本発明の発光装置１では、波長変換部材５内で生じる熱の少なくとも一部は、波長変換部材５と当接する熱伝導性部材８に伝導される。更に、熱伝導性部材８は基板４と離間しているため、波長変換部材５から熱伝導性部材８に伝導された熱は基板４には伝導されない。波長変換部材５、熱伝導性部材８および基板４のこの構成により波長変換部材５内に熱が滞留してしまうことが改善されることで、波長変換部材５自体が熱源になることを抑制できる。ゆえに、発光装置１内での熱の負のフィードバック効果を軽減することができる。そのため、発光装置１の表面温度の過度な上昇を抑制できる。従って、発光素子２からの放射熱と波長変換部材５の自己発熱とによる波長変換部材５の効率低下を抑制でき、かつ発光装置１の表面温度の過度な上昇を抑制できる。
【００１６】
なお、本実施形態の発光装置１に発光素子２で生じた熱の少なくとも一部を放熱する放熱部材９を適用することも可能である（図４（ａ）参照）。放熱部材９は、基板４上の、発光素子２が設けられた面の反対の面に設けられている。これにより、発光素子２からサブマウント部材３および基板４を介して各固体間で伝導される熱は、基板４上の、発光素子２が配置された面の反対の面に設けられた放熱部材９によって発光装置１外へ放散されることが可能となる。なお、放熱部材９の形状は図４（ｂ）に示す円筒状だけに限定されるものではなく、放熱機能を有する構成であれば任意の立体的形状に変更可能である。また、放熱部材９は本実施形態のみに適用されるものではなく、以下の各実施形態に適用できる。
（第２の実施形態）
図２に本発明の第２の実施形態に係る発光装置の断面図を示す。本実施形態の説明においては、第１の実施形態との相違点である基板４、光反射部材６、断熱部材７および波長変換部材５の間の配置を主に述べることにする。
【００１７】
光反射部材６は、波長変換部材５に接して発光素子２の周囲に設けられ、発光素子２から発せられた光を波長変換部材５に向けて反射させる。断熱部材７は、光反射部材６と基板４との間に、光反射部材６と基板４の双方に接して設けられている。この構成により、発光素子２からの放射熱の一部は断熱部材７に伝達される。しかし、断熱部材７によって熱が遮られることでそれに接して配された光反射部材６には熱伝導されにくくなる。ゆえに、光反射部材６に接して配された波長変換部材５にも熱伝導されにくくなる。そのため、高温になった発光素子２から放射された熱が光反射部材６を介して波長変換部材５へ伝達される量を低減できる。一方、発光素子２からサブマウント部材３および基板４を介して断熱部材７に各固体間で伝導される熱に関しても、断熱部材７により遮られることで、断熱部材７に接して配された光反射部材６には伝導されにくくなる。ゆえに、光反射部材６に接して配された波長変換部材５にも熱伝導されにくくなる。そのため、発光素子２で生じる熱が各固体間で伝導されて波長変換部材５へ伝達される量を低減できる。従って、波長変換部材５への熱伝達量の低減により、発光装置１全体の高温化を従来に比べて抑制することが可能となる。
（第３の実施形態）
図３に本発明の第３の実施形態に係る発光装置の断面図を示す。本実施形態の説明においては、第１の実施形態との相違点である、基板４、断熱部材７および波長変換部材５の間の配置を主に述べることにする。
【００１８】
断熱部材７は、基板４と波長変換部材５との間に、基板４と波長変換部材５の双方に接して、発光素子を取り囲んで設けられている。この構成により、発光素子２からの放射熱の一部は断熱部材７に伝達される。しかし、断熱部材７によって熱が遮られることでそれに接して配された波長変換部材５には熱伝達されにくくなる。そのため、高温になった発光素子２から放射された熱が断熱部材７を介して波長変換部材５へ伝達される量を低減できる。一方、発光素子２からサブマウント部材３および基板４を介して断熱部材７に各固体間で伝導される熱に関しても、断熱部材７により遮られることで、断熱部材７に接して配された波長変換部材５には伝達されにくくなる。そのため、発光素子２で生じる熱が各固体間で伝導されて波長変換部材５へ伝達される量を低減できる。従って、波長変換部材５への熱伝達量の低減により、発光装置１全体の高温化を従来に比べて抑制することが可能となる。
【図面の簡単な説明】
【００１９】
【図１】（ａ）は、本発明の第１の実施形態に係る発光装置の上面図である。（ｂ）は、本発明の第１の実施形態に係る発光装置の断面図である。
【図２】本発明の第２の実施形態に係る発光装置の断面図である。
【図３】本発明の第３の実施形態に係る発光装置の断面図である。
【図４】（ａ）は、本発明の第１の実施形態に係る発光装置に放熱部材を適用した断面図である。（ｂ）は、放熱部材の斜視図である。
【図５】従来の発光装置の一形態を示す概略断面図および要部概略平面図である。
【符号の説明】
【００２０】
１  発光装置
２  発光素子
３  サブマウント部材
４  基板
５  波長変換部材
６  光反射部材
７  断熱部材
８  熱伝導性部材
９  放熱部材
【図１】
2009277843.tif 000003
【図２】
2009277843.tif 000004
【図３】
2009277843.tif 000005
【図５】
2009277843.tif 000006
【図４】
2009277843.tif 000007